(57)【要約】【課題】像保持体と転写部材とが軸方向に亘って接した状態で、像保持体と転写部材とに周速差を設ける構成と比して、転写部材の外周面に付着した付着物が、像保持体の外周面に転移するのを抑制することができる画像形成装置を得る。【解決手段】制御部は、駆動源、他の駆動源、及び搬送部を制御し、清掃シートが、転写位置を通過している間に、像保持体を第一の周速度で回転させ、転写部材を前記第一の周速度とは異なる第二の周速度で回転させる。【選択図】図１
2019056741.tif 000002
【特許請求の範囲】
【請求項１】
駆動源から回転力が伝達されて回転し、画像を保持する像保持体と、
他の駆動源から回転力が伝達されて回転し、前記像保持体との間の転写位置で、記録媒体に前記画像を転写する転写部材と、
記録媒体である清掃シートを前記転写位置に搬送する搬送部と、
前記駆動源、前記他の駆動源、及び前記搬送部を制御し、清掃シートが、前記転写位置を通過している間に、前記像保持体を第一の周速度で回転させ、前記転写部材を前記第一の周速度とは異なる第二の周速度で回転させる制御部と、
を備える画像形成装置。
【請求項２】
前記制御部は、前記像保持体の回転によって清掃シートを移動させる方向と、前記転写部材の回転によって清掃シートを移動させる方向とを異ならせる請求項１に記載の画像形成装置。
【請求項３】
前記制御部は、清掃シートが前記転写位置を通過している間に、前記像保持体を一回転以上させる請求項１又は２に記載の画像形成装置。
【請求項４】
前記制御部は、搬送される清掃シートが前記転写位置に到達してから前記転写位置から抜け出るまでの間だけ、前記像保持体を前記第一の周速度で回転させ、前記転写部材を前記第二の周速度で回転させる請求項３に記載の画像形成装置。
【請求項５】
前記像保持体及び前記転写部材を含んで構成され、記録媒体である清掃シートに画像を形成する画像形成部と、
前記転写位置を通過した記録媒体である清掃シートを前記転写位置へ再度搬送するための循環経路と、を備え、
前記制御部は、前記画像形成部を制御し、清掃シートの表面に画像を形成させ、前記搬送部を制御し、画像が形成された清掃シートを、前記循環経路を通して、画像が形成された清掃シートの表面が前記像保持体と接するように前記転写位置に向けて搬送させ、画像が形成された清掃シートが前記転写位置を通過している間に、前記像保持体を前記第一の周速度で回転させ、前記転写部材を前記第二の周速度で回転させる請求項１から４の何れか１項に記載の画像形成装置。
【請求項６】
前記制御部は、記録媒体である清掃シートにベタ画像を形成させる請求項５に記載の画像形成装置。
【請求項７】
異なるサイズ毎に、記録媒体が積載される複数の収容部材を備え、
前記制御部は、前記搬送部を制御し、最も幅の広いサイズの記録媒体を、清掃シートとして前記転写位置を通過させる請求項１から６の何れか１項に記載の画像形成装置。
【請求項８】
最も幅の広いサイズの記録媒体が前記収容部材に積載されていない場合に、前記制御部は、最も幅の広いサイズの記録媒体の供給をユーザに指示し、供給された記録媒体を、清掃シートとして前記転写位置を通過させる請求項７に記載の画像形成装置。
【発明の詳細な説明】
【技術分野】
【０００１】
本発明は、画像形成装置に関する。
【背景技術】
【０００２】
特許文献１に記載の画像形成装置は、像保持体の外周面上のフィルミング量を示すフィルミング指標値をフィルミング指標値取得手段により取得し、このフィルミング指標値が規定値以上のときは、像保持体と転写部材との線速差を第１の線速差よりも大きな第２の線速差に設定する。具体的には、像保持体の周速度と、像保持体と接触しながら回転する転写部材の周速度とを変えること（大きくすること）で、像保持体の外周面に摩擦力を生じさせる。この摩擦力によって、像保持体の外周面に付着したフィルミング等の付着物を除去する。
【先行技術文献】
【特許文献】
【０００３】
【特許文献１】特開２０１５−２０６９０４号公報
【発明の概要】
【発明が解決しようとする課題】
【０００４】
従来の構成では、像保持体の周速度と、像保持体と接触しながら回転する転写部材の周速度とを変えるため、転写部材の外周面に付着した付着物が、像保持体の外周面に転移してしまうことがある。
【０００５】
本発明の課題は、像保持体と転写部材とが軸方向に亘って接した状態で、像保持体と転写部材とに周速差を設ける構成と比して、転写部材の外周面に付着した付着物が、像保持体の外周面に転移するのを抑制することである。
【課題を解決するための手段】
【０００６】
本発明の請求項１に係る画像形成装置は、駆動源から回転力が伝達されて回転し、画像を保持する像保持体と、他の駆動源から回転力が伝達されて回転し、前記像保持体との間の転写位置で、記録媒体に前記画像を転写する転写部材と、記録媒体である清掃シートを前記転写位置に搬送する搬送部と、前記駆動源、前記他の駆動源、及び前記搬送部を制御し、清掃シートが、前記転写位置を通過している間に、前記像保持体を第一の周速度で回転させ、前記転写部材を前記第一の周速度とは異なる第二の周速度で回転させる制御部と、を備えることを特徴とする。
【０００７】
本発明の請求項２に係る画像形成装置は、請求項１に記載の画像形成装置において、前記制御部は、前記像保持体の回転によって清掃シートを移動させる方向と、前記転写部材の回転によって清掃シートを移動させる方向とを異ならせることを特徴とする。
【０００８】
本発明の請求項３に係る画像形成装置は、請求項１又は２に記載の画像形成装置において、前記制御部は、清掃シートが前記転写位置を通過している間に、前記像保持体を一回転以上させることを特徴とする。
【０００９】
本発明の請求項４に係る画像形成装置は、請求項３に記載の画像形成装置において、前記制御部は、搬送される清掃シートが前記転写位置に到達してから前記転写位置から抜け出るまでの間だけ、前記像保持体を前記第一の周速度で回転させ、前記転写部材を前記第二の周速度で回転させることを特徴とする。
【００１０】
本発明の請求項５に係る画像形成装置は、請求項１から４の何れか１項に記載の画像形成装置において、前記像保持体及び前記転写部材を含んで構成され、記録媒体である清掃シートに画像を形成する画像形成部と、前記転写位置を通過した記録媒体である清掃シートを前記転写位置へ再度搬送するための循環経路と、を備え、前記制御部は、前記画像形成部を制御し、清掃シートの表面に画像を形成させ、前記搬送部を制御し、画像が形成された清掃シートを、前記循環経路を通して、画像が形成された清掃シートの表面が前記像保持体と接するように前記転写位置に向けて搬送させ、画像が形成された清掃シートが前記転写位置を通過している間に、前記像保持体を前記第一の周速度で回転させ、前記転写部材を前記第二の周速度で回転させることを特徴とする。
【００１１】
本発明の請求項６に係る画像形成装置は、請求項５に記載の画像形成装置において、前記制御部は、記録媒体である清掃シートにベタ画像を形成させることを特徴とする。
【００１２】
本発明の請求項７に係る画像形成装置は、請求項１から６の何れか１項に記載の画像形成装置において、異なるサイズ毎に、記録媒体が積載される複数の収容部材を備え、前記制御部は、前記搬送部を制御し、最も幅の広いサイズの記録媒体を、清掃シートとして前記転写位置を通過させることを特徴とする。
【００１３】
本発明の請求項８に係る画像形成装置は、請求項７に記載の画像形成装置において、最も幅の広いサイズの記録媒体が前記収容部材に積載されていない場合に、前記制御部は、最も幅の広いサイズの記録媒体の供給をユーザに指示し、供給された記録媒体を、清掃シートとして前記転写位置を通過させることを特徴とする。
【発明の効果】
【００１４】
本発明の請求項１の画像形成装置によれば、像保持体と転写部材とが軸方向に亘って接した状態で、像保持体と転写部材とに周速差を設ける構成と比して、転写部材の外周面に付着した付着物が、像保持体の外周面に転移するのを抑制することができる。
【００１５】
本発明の請求項２の画像形成装置によれば、像保持体と転写部材とを同じ方向に回転させて周速差を設ける構成と比して、周速度を遅くすることができる。
【００１６】
本発明の請求項３の画像形成装置によれば、周方向において像保持体の外周面の全体から付着物を除去することができる。
【００１７】
本発明の請求項４の画像形成装置によれば、清掃シートが転写位置に到達する前から像保持体と転写部材とに周速差を設ける構成と比して、転写部材の外周面に付着した付着物が、像保持体の外周面に転移するのを抑制することができる。
【００１８】
本発明の請求項５の画像形成装置によれば、清掃シートに画像が形成されていない場合と比して、像保持体の外周面から多くの付着物を除去することができる。
【００１９】
本発明の請求項６の画像形成装置によれば、清掃シートにハーフトーン画像が形成されている場合と比して、像保持体の外周面から多くの付着物を除去することができる。
【００２０】
本発明の請求項７の画像形成装置によれば、最も幅の狭いサイズの記録媒体が清掃シートとして用いられる場合と比して、転写部材の外周面に付着した付着物が、像保持体の外周面に転移するのを抑制することができる。
【００２１】
本発明の請求項８の画像形成装置によれば、最も幅の広いサイズの記録媒体が収容部材に収容されていない場合でも、供給された最も幅の広いサイズの記録媒体を清掃シートとして用いることができる。
【図面の簡単な説明】
【００２２】
【図１】（Ａ）（Ｂ）本発明の第１実施形態に係る画像形成装置の像保持体及び転写ロールを示した側面図である。
【図２】本発明の第１実施形態に係る画像形成装置のクリーニング動作の流れを示したフロー図である。
【図３】本発明の第１実施形態に係る画像形成装置の制御部の制御系を示したブロック図である。
【図４】本発明の第１実施形態に係る画像形成装置を示した概略構成図である。
【図５】本発明の第１実施形態に係る画像形成装置を示した概略構成図である。
【図６】（Ａ）（Ｂ）本発明の第２実施形態に係る画像形成装置の像保持体及び転写ロールを示した側面図である。
【図７】本発明の第２実施形態に係る画像形成装置の制御部の制御系を示したブロック図である。
【図８】（Ａ）（Ｂ）本発明の第３実施形態に係る画像形成装置のクリーニング動作を説明するのに用いた動作図である。
【図９】（Ａ）（Ｂ）本発明の第３実施形態に係る画像形成装置のクリーニング動作を説明するのに用いた動作図である。
【図１０】本発明の第３実施形態に係る画像形成装置のクリーニング動作の流れを示したフロー図である。
【図１１】本発明の第３実施形態に係る画像形成装置の制御部の制御系を示したブロック図である。
【発明を実施するための形態】
【００２３】
＜第１実施形態＞
本発明の第１実施形態に係る画像形成装置の一例を図１〜図５に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００２４】
（全体構成）
図４に示されるように、本実施形態に係る画像形成装置１０には、記録媒体としてのシート部材Ｐが収容される収容部１２と、収容部１２に収容されたシート部材Ｐを搬送する搬送部２６とが備えられている。さらに、画像形成装置１０には、収容部１２から搬送部２６によって搬送されるシート部材Ｐに画像形成を行う画像形成部２０と、装置本体１０Ａの外部からシート部材Ｐを供給するための手差し部２２と、各部を制御する制御部４８とが備えられている。
【００２５】
〔収容部１２〕
収容部１２には、画像形成装置１０の装置本体１０Ａから装置奥行方向の手前側に引き出し可能な３個の収容部材１４Ａ、１４Ｂ、１４Ｃが備えられており、この収容部材１４Ａ、１４Ｂ、１４Ｃにシート部材Ｐが夫々積載されている。なお、収容部材１４Ａ、１４Ｂ、１４Ｃを区別しない場合は、収容部材１４と記載することがある。
【００２６】
さらに、収容部１２には、収容部材１４Ａ、１４Ｂ、１４Ｃに積載された最上位のシート部材Ｐを、搬送部２６を構成する搬送経路２８に送り出す送出ロール１６Ａ、１６Ｂ、１６Ｃが夫々備えられている。なお、送出ロール１６Ａ、１６Ｂ、１６Ｃを区別しない場合は、送出ロール１６と記載することがある。
【００２７】
また、収容部１２には、収容部材１４Ａ、１４Ｂ、１４Ｃに、シート部材Ｐが積載されているか否かを検知するセンサ１８Ａ、１８Ｂ、１８Ｂが夫々備えられている。
【００２８】
収容部材１４Ａ、収容部材１４Ｂ及び収容部材１４Ｃは、この順番で、上方から下方に並んでいる。さらに、収容部材１４Ａに積載されるシート部材Ｐと、収容部材１４Ｂに積載されるシート部材Ｐとは同様のサイズとされている。また、収容部材１４Ｃに積載されるシート部材Ｐは、収容部材１４Ａ、１４Ｂに積載されるシート部材Ｐと比して大きなサイズ（最も幅の広いサイズ）とされている
【００２９】
〔手差し部２２〕
手差し部２２には、シート部材Ｐが載せされるトレイ２２Ａと、トレイ２２Ａに載せられたシート部材Ｐを搬送経路２８に送り出す送出ロール２２Ｂと、シート部材Ｐのサイズを検知する図示せぬセンサとが備えられている。そして、トレイ２２Ａは、装置本体１０Ａの内部を閉塞する閉塞位置（図４参照）と、装置本体１０Ａの内部を開放する開放位置（図５参照）とに移動するようになっている。
【００３０】
〔搬送部２６〕
装置本体１０Ａの内部には、シート部材Ｐを画像形成部２０に向けて搬送するための搬送経路２８と、表面に画像が形成されたシート部材Ｐの表裏を反転させて再度、シート部材Ｐを画像形成部２０に向けて搬送するための循環経路３０とが形成されている。
【００３１】
そして、搬送部２６には、搬送経路２８に沿ってシート部材Ｐを搬送する複数の搬送ロール（符号量略）と、循環経路３０に沿ってシート部材Ｐを搬送する複数の搬送ロール（符号省略）とが備えられている。
【００３２】
〔画像形成部２０〕
画像形成部２０には、ブラック（Ｋ）の画像形成ユニット３４と、後述する像保持体３６に露光光を照射する露光装置４６と、トナー画像をシート部材Ｐに転写する転写ロール５２と、トナー画像をシート部材Ｐに定着する定着装置５０とが備えられている。転写ロール５２は、転写部材の一例である。
【００３３】
画像形成ユニット３４（所謂プロセスカートリッジ）は、装置本体１０Ａに対して着脱可能とされている。そして、画像形成ユニット３４には、像保持体３６と、像保持体３６の外周面を帯電する帯電部材３８とが備えられている。さらに、画像形成ユニット３４には、帯電した像保持体３６に露光装置４６が露光光を照射することで形成された静電潜像を現像してトナー画像として可視化する現像装置４０が備えられている。
【００３４】
そして、前述した転写ロール５２は、搬送経路２８を挟んで像保持体３６の反対側に配置されており、搬送されるシート部材Ｐを像保持体３６との間の転写位置Ｔで挟むことで、像保持体３６上のトナー画像をシート部材Ｐに転写するようになっている。
【００３５】
（画像形成装置の作用）
画像形成装置１０では、次のようにして画像が形成される。
【００３６】
先ず、帯電部材３８は、像保持体３６の外周面を予定の電位で一様にマイナス帯電する。続いて、露光装置４６は、帯電した像保持体３６の外周面に露光光を照射して静電潜像を形成する。これにより、静電潜像が像保持体３６の外周面に形成される。さらに、現像装置４０は、この静電潜像を現像してトナー画像として可視化する。
【００３７】
そこで、収容部材１４から送出ロール１６によって搬送経路２８へ送り出されたシート部材Ｐは、像保持体３６と転写ロール５２とが接する転写位置Ｔへ送り出される。転写位置Ｔでは、シート部材Ｐが、像保持体３６と転写ロール５２との間で搬送されることで、像保持体３６上のトナー画像は、シート部材Ｐの表面に転写される。
【００３８】
また、シート部材Ｐの表面に転写されたトナー画像が、定着装置５０によってシート部材Ｐに定着される。そして、表面に画像が形成されたシート部材Ｐは、装置本体１０Ａの外部へ排出される。
【００３９】
一方、表面に画像が形成されたシート部材Ｐの裏面に画像を形成する場合は、搬送部２６は、表面に画像が形成されたシート部材Ｐを循環経路３０へ送り出す。さらに、循環経路３０に沿って搬送されたシート部材Ｐは、表裏が反転されて、再度転写位置Ｔへ送り出される。そして、前述した同様の工程を経て、シート部材Ｐの裏面に、トナー画像が形成される。
【００４０】
また、装置本体１０Ａの外部からシート部材Ｐを供給する場合は、図５に示されるように、開放位置のトレイ２２Ａに載せられたシート部材Ｐが、送出ロール２２Ｂによって、搬送経路２８へ送り出される。そして、前述した同様の工程を経て、シート部材Ｐの表面に、トナー画像が形成される。
【００４１】
（要部構成）
次に、像保持体３６、転写ロール５２、及び制御部４８等の構成について説明する。
【００４２】
像保持体３６は、図１（Ａ）に示されるように、装置奥行方向に延びる断面円状で、一例として、外径３０〔ｍｍ〕とされている。そして、像保持体３６に回転力を付与するモータ６０が、画像形成装置１０に備えられている。
【００４３】
転写ロール５２は、装置奥行方向に延びる断面円状で、一例として、外径１６〔ｍｍ〕とされている。そして、転写ロール５２に回転力を付与するモータ６２、及び転写ロール５２に電圧を印加する電圧印加部材６４が、画像形成装置１０に備えられている。
【００４４】
制御部４８は、図３に示されるように、モータ６０、モータ６２、及び電圧印加部材６４等の画像形成装置１０の各部材を制御するようになっている。モータ６０は、駆動源の一例であって、モータ６２は、他の駆動源の一例である。
【００４５】
なお、像保持体３６の外周面に付着したフィルミング（付着物の一例）を除去するためのクリーニング動作における、制御部４８による各部の制御については、後述する作用と共に説明する。
【００４６】
この構成において、像保持体３６に形成されたトナー画像を、搬送されるシート部材Ｐに転写する場合には、制御部４８は、電圧印加部材６４を制御し、転写ロール５２に電圧を印加させる。さらに、制御部４８は、図１（Ａ）、（Ｂ）に示されるように、モータ６０及びモータ６２を制御して、像保持体３６及び転写ロール５２を回転させる。具体的には、制御部４８は、モータ６０によって、像保持体３６を正方向（図中Ｒ１方向）に回転させ、モータ６２によって、転写ロール５２を正方向（図中Ｒ２方向）に回転させる。
【００４７】
そして、像保持体３６と転写ロール５２との間の転写位置Ｔで搬送されるシート部材Ｐを、像保持体３６と転写ロール５２とで挟むことで、像保持体３６に形成されたトナー画像が、シート部材Ｐに転写される。
【００４８】
（要部構成の作用）
次に、像保持体３６の外周面に付着したフィルミングを除去するためのクリーニング動作における、制御部４８による各部の制御について、図２に示すフロー図を用いて説明する。なお、「フィルミング」とは、トナー及び外添剤等が、像保持体３６の外周面に膜状に付着した付着物である。
【００４９】
本第１実施形態では、画像形成装置１０によって出力されたシート部材Ｐの枚数が、閾値枚数に達し、かつ、印刷ジョブが終了する毎に、フィルミングを除去するためのクリーニング動作が開始される。
【００５０】
画像形成装置１０による出力枚数が閾値枚数に達すると、先ず、ステップＳ１００で、制御部４８は、最も幅の広いサイズのシート部材Ｐ（以下「清掃シート部材Ｐ」）が積載される収容部材１４に、清掃シート部材Ｐが積載されているか否かを、センサ１８の検知結果によって入手する。清掃シート部材Ｐが収容部材１４に積載されている場合は、ステップＳ２００へ移行し、清掃シート部材Ｐが収容部材１４に積載されていない場合は、ステップＳ２１０へ移行する。なお、「最も幅の広いサイズのシート部材Ｐ」とは、像保持体３６の軸方向に最も長いシート部材Ｐである。
【００５１】
ステップＳ２００では、制御部４８は、送出ロール１６、及び搬送部２６を制御し、清掃シート部材Ｐを搬送経路２８に送り出させ、清掃シート部材Ｐを搬送経路２８に沿ってシート部材Ｐの搬送方向（以下「シート搬送方向」）の下流側に搬送させる。
【００５２】
清掃シート部材Ｐを搬送経路２８に沿ってシート搬送方向の下流側に搬送させると、ステップＳ３００では、制御部４８は、モータ６０、及びモータ６２を制御し、像保持体３６、及び転写ロール５２を回転させる。そして、回転する像保持体３６、及び転写ロール５２は、転写位置Ｔで搬送されるシート部材Ｐを挟むことで、シート部材Ｐをシート搬送方向の下流側へ搬送する。
【００５３】
ここで、制御部４８は、搬送される清掃シート部材Ｐが転写位置Ｔに到達してから転写位置Ｔから抜け出るまでの間に、回転する像保持体３６と転写ロール５２とに周速差を設ける。具体的には、制御部４８は、像保持体３６を周速度Ｖ１で正方向に回転させ、転写ロール５２を周速度Ｖ１に対して遅い周速度Ｖ２で正方向に回転させる。そして、制御部４８は、清掃シート部材Ｐが転写位置Ｔを通過している間に、回転する像保持体３６と転写ロール５２とに周速差を設けた状態で、像保持体３６を一回転以上させる。制御部４８が、清掃シート部材Ｐが転写位置Ｔを通過している時間を図示せぬセンサから受け取り、この時間内に像保持体３６を一回転以上させる。
【００５４】
なお、「周速差」とは、像保持体３６の周速度Ｖ１と、転写ロール５２の周速度Ｖ２との差であって、周速差については、像保持体３６の外周面からフィルミングを除去する性能を考慮すると、周速度Ｖ１の５〔％〕以上が好ましく、２０〔％〕以上がより好ましい。
【００５５】
また、「清掃シート部材Ｐが転写位置Ｔに到達」とは、清掃シート部材Ｐの先端が転写位置Ｔから、清掃シート部材Ｐの先端が転写位置Ｔから２０〔ｍｍ〕（図１（Ａ）のＬ１）突出するまでの間である。さらに、「清掃シート部材Ｐが転写位置Ｔから抜け出る」とは、清掃シート部材Ｐの後端が転写位置Ｔまで２０〔ｍｍ〕（図１（Ｂ）のＬ２）となってから、清掃シート部材Ｐの後端が転写位置Ｔを通過するまでの間である。
【００５６】
このように、回転する像保持体３６と転写ロール５２とに周速差を設けることで、回転する像保持体３６の外周面と、清掃シート部材Ｐとの間に摩擦力が大きくなる。これにより、像保持体３６の外周面に付着したフィミングが、清掃シート部材Ｐに転移して像保持体３６の外周面から除去される。
【００５７】
清掃シート部材Ｐが転写位置Ｔから抜け出ると、ステップＳ４００では、制御部４８が、搬送部２６を制御し、清掃シート部材Ｐを装置本体１０Ａの外部に排出する。これにより、前述したクリーニング動作が終了する。
【００５８】
一方、ステップＳ１００で、清掃シート部材Ｐが積載されておらず、ステップＳ２１０へ移行すると、制御部４８は、図示せぬユーザインタフェースに、収容部材１４にシート部材Ｐを供給するようにメッセージを表示させ、ユーザに指示する。そして、ユーザがシート部材Ｐを収容部材１４に供給すると、ステップＳ２００へ移行して、前述した工程が行われる。
【００５９】
（まとめ）
以上説明したように、回転する像保持体３６と転写ロール５２とに周速差を設けることで、回転する像保持体３６の外周面と、清掃シート部材Ｐとの間に摩擦力が生じる。そして、像保持体３６の外周面に付着したフィミングが清掃シート部材Ｐに転移して、像保持体３６の外周面から除去される。
【００６０】
このように、像保持体３６と転写ロール５２との間の転写位置Ｔには、清掃シート部材Ｐが挟まれている。このため、像保持体と転写ロールとが軸方向に亘って接した状態で、像保持体と転写ロールとに周速差を設ける構成と比して、転写ロール５２の外周面に付着した付着物が、像保持体３６の外周面に転移するのが抑制される。
【００６１】
また、清掃シート部材Ｐが転写位置Ｔを通過している間に、像保持体３６が一回転以上する。このため、像保持体３６が半回転しかしない場合と異なり、周方向において像保持体３６の外周面の全体から付着物が除去される。
【００６２】
また、搬送される清掃シート部材Ｐが転写位置Ｔに到達してから転写位置Ｔから抜け出るまでの間だけ、回転する像保持体３６と転写ロール５２とに周速差を設ける。このため、清掃シート部材Ｐが転写位置Ｔに到達する前から像保持体と転写ロールとに周速差を設ける構成と比して、転写ロール５２の外周面に付着した付着物が、像保持体３６の外周面に転移するのが抑制される。
【００６３】
また、最も幅の広いサイズのシート部材Ｐが、周速差が設けられた像保持体３６と転写ロール５２との間の転写位置Ｔを通過する。このため、最も幅の狭いサイズのシート部材Ｐが転写位置Ｔを通過する構成と比して、転写ロール５２の外周面に付着した付着物が、像保持体３６の外周面に転移するのが抑制される。
【００６４】
また、最も幅の広いサイズのシート部材Ｐが収容部材１４に収容されていない場合に、制御部４８は、最も幅の広いサイズのシート部材Ｐの供給をユーザに指示し、供給されたシート部材Ｐが転写位置Ｔを通過する。このため、最も幅の広いサイズのシート部材Ｐが収容部材１４に収容されていない場合でも、ユーザがシート部材Ｐを供給することで、最も幅の広いサイズのシート部材Ｐが清掃シート部材Ｐとして用いられる。
【００６５】
＜第２実施形態＞
本発明の第２実施形態に係る画像形成装置の一例を図６、図７に従って説明する。なお、第２実施形態については、第１実施形態と異なる部分を主に説明する。
【００６６】
回転する像保持体３６と転写ロール５２とに周速差を設ける場合には、第２実施形態の画像形成装置１１０の制御部１４８（図７参照）は、図６に示されるように、モータ６０によって、像保持体３６を正方向（図中Ｒ１方向）に回転させる。
【００６７】
さらに、制御部１４８は、モータ６２によって、転写ロール５２を正方向に対して逆の負方向（図中Ｒ３方向）に回転させる。つまり、制御部１４８は、像保持体３６の回転によって清掃シート部材Ｐを移動させる方向と、転写ロール５２の回転によって清掃シート部材Ｐを移動させる方向を異ならせる。
【００６８】
なお、像保持体３６の周速度Ｖ１と、転写ロール５２の周速度Ｖ２については、転写位置Ｔに挟まれたシート部材Ｐが、シート搬送方向の下流側に搬送されるように、摩擦係数等を考慮して決められている。
【００６９】
このように、像保持体３６を正方向に回転させ、転写ロール５２を負方向に回転させることで、同様の周速差を設ける場合に、像保持体３６及び転写ロール５２を正方向させることで周速差を設ける構成と比して、周速度が遅くなる。
【００７０】
第２実施形態の他の作用については、第１実施形態の作用と同様である。
【００７１】
＜第３実施形態＞
本発明の第３実施形態に係る画像形成装置の一例を図８〜図１１に従って説明する。なお、第３実施形態については、第１実施形態と異なる部分を主に説明する。
【００７２】
第３実施形態に係る画像形成装置２１０は、図１１に示されるように、各部を制御する制御部２４８を備えている。
【００７３】
像保持体３６の外周面に付着したフィルミングを除去するためのクリーニング動作における、制御部２４８による各部の制御について、図１０に示すフロー図を用いて説明する。
【００７４】
画像形成装置２１０による出力枚数が閾値枚数に達すると、先ず、ステップＳ１１００で、制御部２４８は、清掃シート部材Ｐが積載される収容部材１４に、シート部材Ｐが積載されているか否かを、センサ１８の検知結果によって入手する。清掃シート部材Ｐが収容部材１４に積載されている場合は、ステップＳ１２００へ移行し、清掃シート部材Ｐが積載されていない場合は、ステップＳ１２１０へ移行する。
【００７５】
ステップＳ１２００では、制御部２４８は、画像形成部２０を制御し、像保持体３６及び転写ロール５２を回転させ、さらに、像保持体３６上に黒のベタ画像（エリアガバレッジ１００〔％〕の画像）を形成させる。また、制御部２４８は、送出ロール１６、及び搬送部２６を制御し、清掃シート部材Ｐを搬送経路２８に送り出し、清掃シート部材Ｐを搬送経路２８に沿ってシート搬送方向の下流側に搬送させる。なお、回転する像保持体３６と転写ロール５２とに周速差は設けられていない。
【００７６】
清掃シート部材Ｐをシート搬送方向の下流側に搬送させると、ステップＳ１３００では、制御部２４８は、電圧印加部材６４を制御し、転写ロール５２に電圧を印加させ、転写位置Ｔで、像保持体３６上の黒ベタ画像を清掃シート部材Ｐの表面に転写させる。また、制御部２４８は、清掃シート部材Ｐの表面に転写された黒ベタ画像を清掃シート部材Ｐに定着させる。これにより、黒ベタ画像が清掃シート部材Ｐの表面に形成される。
【００７７】
黒ベタ画像が清掃シート部材Ｐの表面に形成されると、ステップＳ１４００では、制御部２４８は、搬送部２６を制御し、表面に黒ベタ画像が形成された清掃シート部材Ｐを、循環経路３０に送り出す。具体的には、制御部２４８は、図８（Ａ）（Ｂ）に示されるように、表面に黒ベタ画像が形成された清掃シート部材Ｐを、スイッチバックさせて、搬送経路２８から循環経路３０に送り出す（図中矢印Ｅ１参照）。
【００７８】
また、制御部２４８は、図９（Ａ）（Ｂ）に示されるように、清掃シート部材Ｐの表裏を反転させて、清掃シート部材Ｐの裏面が像保持体３６の外周面と接するように、清掃シート部材Ｐを循環経路３０から搬送経路２８に送り出し、転写位置Ｔに向けて搬送させる（図中矢印Ｆ１参照）。さらに、制御部２４８は、清掃シート部材Ｐを、定着装置５０を通過させる（図８（Ａ）参照）。なお、２度目に転写位置Ｔを通過する清掃シート部材Ｐに対しては、像保持体３６、転写ロール５２、及び定着装置５０は、搬送力だけを付与する。
【００７９】
さらに、制御部２４８は、図８（Ａ）（Ｂ）に示されるように、裏面が像保持体３６の外周面と接するように転写位置Ｔを通過した清掃シート部材Ｐを、スイッチバックさせて、搬送経路２８から循環経路３０に送り出す（図中矢印Ｅ１参照）。また、制御部２４８は、図９（Ａ）（Ｂ）に示されるように、清掃シート部材Ｐの表裏を反転させて、清掃シート部材Ｐの表面が像保持体３６の外周面と接するように、清掃シート部材Ｐを循環経路３０から搬送経路２８に送り出し、転写位置Ｔに向けて搬送させる（図中矢印Ｆ１参照）。
【００８０】
そして、清掃シート部材Ｐが転写位置Ｔに向けて搬送されると、ステップＳ１５００では、制御部２４８は、モータ６０、及びモータ６２を制御する。さらに、制御部２４８は、搬送される清掃シート部材Ｐが転写位置Ｔに到達してから転写位置Ｔから抜け出るまでの間だけ、回転する像保持体３６と転写ロール５２とに周速差を設ける。具体的には、制御部２４８は、像保持体３６を周速度Ｖ１で正方向に回転させ、転写ロール５２を周速度Ｖ１に対して遅い周速度Ｖ２で正方向に回転させる。
【００８１】
そして、清掃シート部材Ｐが転写位置Ｔから抜け出ると、ステップＳ１６００では、制御部２４８が、搬送部２６を制御し、清掃シート部材Ｐを装置本体１０Ａの外部に排出する。これにより、前述したクリーニング動作が終了する。
【００８２】
一方、ステップＳ１１００で、清掃シート部材Ｐが積載されておらず、ステップＳ１２１０へ移行すると、制御部２４８は、図示せぬユーザインタフェースに、収容部材１４にシート部材Ｐを供給するように、メッセージを表示させる。そして、ユーザがシート部材Ｐを収容部材１４に供給すると、ステップＳ１２００へ移行して、前述した工程が行われる。
【００８３】
（まとめ）
以上説明したように、回転する像保持体３６と転写ロール５２とに周速差を設けることで、回転する像保持体３６の外周面と、清掃シート部材Ｐとの間に摩擦力が生じる。そして、像保持体３６の外周面に付着したフィミングが清掃シート部材Ｐに転移して、像保持体３６の外周面から除去される。
【００８４】
ここで、ベタ画像が形成された清掃シート部材Ｐの表面が、回転する像保持体３６の外周面に接する。このため、回転する像保持体３６の外周面と清掃シート部材Ｐとの間に生じる摩擦力は、シート部材Ｐに画像が形成されていない場合の摩擦力と比して、大きくなる。これにより、シート部材Ｐに画像が形成されていない場合と比して、像保持体３６の外周面から多くのフィルミングが除去される。
【００８５】
また、清掃シート部材Ｐには、ベタ画像が形成されている。このため。清掃シート部材Ｐにハーフトーン画像（エリアガバレッジ５０〔％〕の画像）が形成されている場合と比して、像保持体３６の外周面と清掃シート部材Ｐとの間に生じる摩擦力が大きくなり、像保持体３６の外周面から多くのフィルミングが除去される。
【００８６】
第３実施形態の他の作用については、第１実施形態の作用と同様である。
【００８７】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、画像形成装置１０、１１０、２１０によって出力されたシート部材Ｐの枚数が、閾値枚数に達する毎にクリーニング動作が開始されたが、図示せぬユーザインタフェースに表示された清掃開始表示にユーザが触れることで、クリーニング動作が開始されてもよい。
【００８８】
また、上記実施形態では、清掃シート部材Ｐが収容部材１４に積載されていない場合に、制御部４８、１４８、２４８は、収容部材１４にシート部材Ｐを供給するように要求したが、制御部が、手差し部２２から清掃シート部材Ｐを供給するように要求してもよい。
【００８９】
また、上記実施形態では、清掃シート部材Ｐが収容部材１４に積載されていない場合に、制御部４８、１４８、２４８は、収容部材１４にシート部材Ｐを供給するように要求したが、他の収容部材１４にシート部材Ｐが積載されている場合は、そのシート部材Ｐを清掃シート部材Ｐとして搬送してもよい。しかし、この場合には、最も幅の広いサイズのシート部材Ｐを清掃シート部材Ｐとして用いることで奏する作用は奏しない。
【００９０】
また、上記実施形態では、像保持体３６及び転写ロール５２を回転させることで、周速差を設けたが、像保持体３６及び転写ロール５２のどちらか一方の回転を停止させることで、周速差を設けてもよい。この場合には、像保持体３６及び転写ロール５２の両方を回転させる場合と比して、消費電力が小さくなる。
【００９１】
また、上記実施形態では、特に説明しなかったが、像保持体３６を一回転以上したこと、搬送される清掃シート部材Ｐが転写位置Ｔに到達したこと、及び搬送される清掃シート部材Ｐが転写位置Ｔから抜け出たこと等を検知するために、センサ等を備えてもよい。
【００９２】
また、上記実施形態では、画像形成装置１０は、複数の収容部材１４を備えたが、収容部材は１個でもよい。この場合には、この収容部材に積載されたシート部材Ｐが清掃シート部材Ｐとして用いられる。
【００９３】
また、上記第１実施形態では、制御部４８は、像保持体３６を周速度Ｖ１で正方向に回転させ、転写ロール５２を周速度Ｖ１に対して遅い周速度Ｖ２で正方向に回転させたが、像保持体の周速度を転写ロールの周速度に対して遅くしてもよい。
【００９４】
また、上記第２実施形態では、像保持体３６を正方向に回転させ、転写ロール５２を負方向に回転させたが、像保持体を負方向に回転させ、転写ロールを正方向に回転させてもよい。
【００９５】
また、上記第３実施形態では、清掃シート部材Ｐに黒ベタ画像を形成させたが、ハーフトーン、縞模様等の他の画像を清掃シート部材Ｐに形成してもよい。しかし、この場合には、清掃シート部材Ｐに黒ベタ画像を形成させることで奏する作用は奏しない。
【符号の説明】
【００９６】
１０    画像形成装置
１０Ａ        装置本体
１４    収容部材
２０    画像形成部
２６    搬送部
２８    搬送経路
３０    循環経路
３６    像保持体
４８    制御部
５２    転写ロール（転写部材の一例）
６０    モータ（駆動源の一例）
６２    モータ（他の駆動源の一例）
１１０        画像形成装置
１４８        制御部
２１０        画像形成装置
２４８        制御部
Ｔ      転写位置
【図１】
2019056741.tif 000003
【図２】
2019056741.tif 000004
【図３】
2019056741.tif 000005
【図４】
2019056741.tif 000006
【図５】
2019056741.tif 000007
【図６】
2019056741.tif 000008
【図７】
2019056741.tif 000009
【図８】
2019056741.tif 000010
【図９】
2019056741.tif 000011
【図１０】
2019056741.tif 000012
【図１１】
2019056741.tif 000013